(57)【要約】【課題】照明器具の反射板の接地において、部品を増やすことなく、確実性の高い安定した接地構造を備えた照明器具を提供する。【解決手段】照明器具の反射板３は反射板取付ネジ６が通される取付穴８を備え、照明器具の器具本体は取付穴８に通された反射板取付ネジ６を固定するソケット台５を備え、反射板３は取付穴８を形成した開口縁８１が取付穴８の略中心から略放射状にカットされたカット部９と、カット部９が設けられた開口縁８１の一部分が、反射板取付ネジ６によってソケット台５の方向に押し曲げられ、先端のエッジ部がソケット台５に接触した曲折縁部３１とを備える。【選択図】図３
2010135169.tif 000002
【特許請求の範囲】
【請求項１】
器具本体と、前記器具本体に固定部材を用いて取り付けられる反射板とを備えた照明器具において、
前記反射板は、前記固定部材が通される取付穴を備え、
前記器具本体は、前記取付穴に通された前記固定部材を固定する反射板取付金具を備え、
前記反射板は、
前記取付穴を形成した開口縁が前記取付穴の略中心から略放射状にカットされたカット部と、
前記カット部が設けられた前記開口縁の一部分が、前記固定部材によって前記反射板取付金具の方向に押し曲げられ、先端が前記反射板取付金具に接触した曲折縁部と
を備えることを特徴とする照明器具。
【請求項２】
前記固定部材は、ネジ頭を有するネジであり、
前記曲折縁部は、前記ネジ頭の下部によって前記反射板取付金具の方向に押し曲げられていることを特徴とする請求項１に記載の照明器具。
【請求項３】
前記ネジは、前記ネジ頭に向かってテーパ部を設けた漏斗状であり、
前記反射板は、前記テーパ部により前記曲折縁部が前記反射板取付金具の方向に押し曲げられている
ことを特徴とする請求項２に記載の照明器具。
【請求項４】
前記反射板取付金具は、前記ネジを固定するネジ受けを備えるとともに、前記ネジ受けの周囲に前記反射板の方向へ突出する凸部を備え、
前記曲折縁部は、前記開口縁のうち前記凸部と接する部分より前記取付穴側が押し曲げられていることを特徴とする請求項２に記載の照明器具。
【発明の詳細な説明】
【技術分野】
【０００１】
本発明は、照明器具に関するものであり、特に、照明器具における反射板と器具本体との接地構造に関する。
【背景技術】
【０００２】
近年、安全上の観点から、人体が触れるおそれのある非充電金属部は接地することが要求されている。照明器具においても、金属からなる反射板については接地（アース）の必要がある。反射板の接地は、従来、反射板と接地された器具本体とで電気的な導通を得る構成とすることにより実現される。従来技術では、反射板の内面の反射板取付ネジを通す取付穴の部分に接触金具を設け、反射板取付ネジにより反射板を器具本体に取り付けることにより、反射板、接触金具、反射板取付ネジ、反射板取付金具、器具本体の順に電気的に導通させ接地させる構造の照明器具が開示されている（特許文献１参照）。また、ラッチ取付金具または反射板のラッチ近傍の内面側にバネ性を有する突起を形成し、反射板をラッチにより器具本体に取り付けることにより、反射板またはラッチ取付金具に突起を接触させて反射板を接地させる構造の照明器具が開示されている（特許文献２参照）。
【特許文献１】特開平７−２０１２２０
【特許文献２】特開２００３−１９７０２３
【発明の開示】
【発明が解決しようとする課題】
【０００３】
しかしながら、反射板の内面に接触金具を設置する技術では、部品点数が多くなり、製作コストが大きくなるという課題がある。また、接触金具では、導通のための接触を維持する安定した弾性力が期待できないという課題もある。
【０００４】
突起を形成する技術では、突起を形成するために製作コストがかかる。また、突起物が塑性変形した場合に接地の確実性の信頼性が低いという課題がある。また、突起物により反射板の塗装面を剥がすため、そこから反射板が錆びる可能性があるという課題もある。
【０００５】
本発明は、例えば、上記のような課題を解決するためになされたものであり、反射板の接地において、部品を増やすことなく、確実性の高い安定した接地を得ることができる構造を備えた照明器具を提供することを目的とする。
【課題を解決するための手段】
【０００６】
本発明に係る照明器具は、器具本体と、前記器具本体に固定部材を用いて取り付けられる反射板とを備えた照明器具であって、
前記反射板は、前記固定部材が通される取付穴を備え、
前記器具本体は、前記取付穴に通された前記固定部材を固定する反射板取付金具を備え、
前記反射板は、
前記取付穴を形成した開口縁が前記取付穴の略中心から略放射状にカットされたカット部と、
前記カット部が設けられた前記開口縁の一部分が、前記固定部材によって前記反射板取付金具の方向に押し曲げられ、先端が前記反射板取付金具に接触した曲折縁部とを備えることを特徴とする。
【発明の効果】
【０００７】
本発明に係る照明器具は、器具本体と、前記器具本体に固定部材を用いて取り付けられる反射板とを備えた照明器具であって、前記反射板は、前記固定部材が通される取付穴を備え、前記器具本体は、前記取付穴に通された前記固定部材を固定する反射板取付金具を備え、前記反射板は、前記取付穴を形成した開口縁が前記取付穴の略中心から略放射状にカットされたカット部と、前記カット部が設けられた前記開口縁の一部分が、前記固定部材によって前記反射板取付金具の方向に押し曲げられ、先端が前記反射板取付金具に接触した曲折縁部とを備えているので、反射板の接地において、部品を追加することなく、確実で安定した接地が得られるという効果を奏する。
【発明を実施するための最良の形態】
【０００８】
実施の形態１．
図１は、実施の形態１に係る照明器具１であり、（ａ）は照明器具１の外観の斜視図、（ｂ）は照明器具１の分解斜視図である。図１を用いて、照明器具１の全体構造について説明する。
【０００９】
図１（ａ）に示すように、本実施の形態に係る照明器具１は、直管型のランプ７をソケット４に装着し、天井面８００等に設置される照明器具である。照明器具１は、ランプ７の光を下方に反射させるための反射板３を備えている。反射板３の材質は、金属である。例えば、反射板３は、白色仕上げが施された鋼板、あるいは、クリア仕上げが施されたステンレス等である。
【００１０】
図１（ｂ）に示すように、照明器具１は、天井に固定される器具本体２を備える。器具本体２は、天井面８００に固定・設置されたボルト等にナット等を用いてボルト止めすることにより天井面８００に固定（直付け）される。器具本体２の材質は、金属であり、例えば、亜鉛メッキ仕上げ等が施された鋼板などである。器具本体２は、ランプ７の形状に合わせた細長い矩形状をしており、長辺方向の側辺には略垂直方向に下方（天井面とは反対方向）に延設された側面を備えている。したがって、器具本体２は、断面略コ字状で下方が開放する形状となっている。
【００１１】
器具本体２は、天井面に取り付けられた場合に天井面に当接する面（以下。本体底面と呼ぶ）の中央付近に、電源ケーブルを通すための電源穴を備える。また、器具本体２の本体底面には、天井面８００に取り付けるための天井直付け取付穴や、照明器具が天井直付け・天井吊り下げ兼用タイプの場合にはパイプ取付穴等が設けられている。さらに、器具本体２の本体底面の下方側（天井面側の反対側）には、ランプ７を点灯させる点灯装置等が取り付けられている。
【００１２】
器具本体２は、長辺方向の両端部に、互いに対向する１対のソケット４を取り付けるためのソケット台５を備えている。ソケット４は、直管型ランプ７の両端を係止するとともに、ランプ７の両端の電極部分と接触してランプ７に電力を供給する電極を有する。ソケット４は、ソケット台５に固定される。
【００１３】
ソケット台５は、ソケット４を固定する台である。ソケット台５の材質は、金属であり、例えば、器具本体２と同様の鋼板等である。ソケット台５は、器具本体２に固定されているか、あるいは、一体形成されており、ソケット台５と器具本体２とは電気的に導通している。ソケット台５は、反射板３を器具本体２にネジ止めする場合に、反射板取付ネジ６をネジ止め（固定）するネジ受け１０を備える。すなわち、ソケット台５は、器具本体２に反射板３を固定する（反射板取付ネジ６のネジ受けを有する）部材である反射板取付金具の一例である。ここでは、ソケット台５が反射板取付ネジ６のネジ受け１０を有する反射板取付金具を兼ねているが、ソケット台５と反射板取付金具は別部品として構成してもよい。別部品とする場合も、反射板取付金具は金属により構成し、器具本体２と電気的に導通している必要がある。
【００１４】
反射板３は、器具本体２を覆うように器具本体２に取り付けられる。反射板３は、長辺方向の端部の反射板端面４２が略台形状であり、天井面に対向する面である反射板底面４３を備え、天井面側が開口した断面略台形状の形状である。反射板３は、天井面に対向する面である反射板底面４３の長辺方向の両端部に、ソケット４を突出させるためのソケット貫通穴４１を備えている。反射板３は、ソケット貫通穴４１からソケット４を突出させて、器具本体２に取り付けられる。ソケット貫通穴４１から突出したソケット４には、ランプ７が装着される。
【００１５】
反射板底面４３には、反射板３を器具本体２に取り付けるための反射板取付ネジ６を通す取付穴８が設けられる。取付穴８は、反射板３を器具本体２に取り付けた場合にソケット台５のネジ受け１０に対応する位置に形成される。反射板３を器具本体２に取り付ける場合は、反射板３を器具本体２に被せるように位置決めし、反射板取付ネジ６を反射板底面４３の下方から取付穴８に挿入し、工具等を用いて反射板取付ネジ６をねじ込み、ソケット台５のネジ受け１０に反射板取付ネジ６の先端をねじ込んでいく。つまり、反射板取付ネジ６により反射板３を器具本体２に押さえつけて固定する。反射板３は、長辺方向両端のソケット台５のネジ受け１０（２箇所のネジ受け１０）に反射板取付ネジ６により固定される。
【００１６】
図２は、反射板３を装着した器具本体２における反射板取付ネジ６の取付部分の短辺方向断面図である。図２を用いて、本実施の形態の照明器具１における反射板３の接地構造について説明する。
【００１７】
反射板取付ネジ６は、固定部材の一例であり、ネジ頭６１とネジ棒６２とからなるネジである。図２に示すように、反射板取付ネジ６は、反射板３の取付穴８から挿入され、ソケット台５のネジ受け１０にネジ棒６２がねじ込まれている。また、反射板取付ネジ６は、ネジ頭６１により、取付穴８の開口を形成する開口縁８１をソケット台５方向に押さえつけている。ここで、取付穴８の開口縁８１とは、取付穴８の開口の周縁を含む取付穴８の開口の周縁周辺の反射板３の部位を意味するものとする。反射板３は、反射板取付ネジ６がソケット台５の方向にねじ込まれる（すなわち、ネジ棒６２がネジ受け１０にねじ込まれる）ことにより、ネジ頭６１によりソケット台５の方向に押し付けられ、ソケット台５に固定される。
【００１８】
取付穴８の開口縁８１は、後述するカット部が設けられており、曲折し易くなっている。反射板取付ネジ６がソケット台５の方向にねじ込まれる（すなわち、ネジ棒６２が、ネジ受け１０にねじ込まれる）と、取付穴８の開口縁８１がネジ頭６１によりソケット台５の方向へ曲折し、取付穴８の開口縁８１の先端（エッジ部３２）がソケット台５に接触する。以下において、取付穴８の開口縁８１のうち曲折する部分を曲折縁部３１と呼ぶものとする。
【００１９】
また、ソケット台５には、ネジ受け１０の周囲に反射板３の方向に突出したエンボス１１（凸部）が形成されている。図２に示すように、開口縁８１のうちのエンボス１１と接する部分より取付穴８側の部分（つまりエンボス１１より内側の部分、曲折縁部３１の部分）が、エンボス１１を支点として、ソケット台５の方向に湾曲し押し曲げられている。押し曲げられた曲折縁部３１の先端であるエッジ部３２は、ソケット台５のソケット台表面５１に接触している。
【００２０】
取付穴８を形成する際には、反射板３を切断して取付穴８の開口を形成するので、その切断面であるエッジ部３２は塗装仕上げ等による塗料が塗られていない部分である。このように、反射板３の開口縁８１の先端（エッジ部３２）が、ソケット台５と接触することにより、反射板３、ソケット台５、器具本体２の順で電気的導通が得られることとなる。すなわち、反射板３の接地が実現する。
【００２１】
図３は、図２のＡ部の拡大図であり、（ａ）は部分分解斜視図、（ｂ）は反射板取付ネジ６の取り付け前の状態を示す図、（ｃ）は反射板取付ネジ６の取り付け後の状態を示す図である。図３では、説明の簡単のため、図２とは上下を逆転して図示している。
【００２２】
図３（ａ）に示すように、反射板３には、開口縁８１が取付穴８の略中心から略放射状にカットされた（切り込まれた）カット部９（スリットともいう）が形成されている。図３（ａ）では、取付穴８の開口縁８１に略均等の間隔でカット部９が４箇所形成されている。開口縁８１は、隣り合うカット部９に挟まれた部分が反射板取付ネジ６のネジ頭６１によって押されて曲折する。このため、開口縁８１が曲折しやすくなるように３箇所以上のカット部９を設けることが好適である。カット部９の数は多い方が、隣り合うカット部９に挟まれた開口縁８１の部分が小さくなり（細かくなり）曲折し易くなる。しかし、反射板３の取付穴８付近が曲折して変形すると考えると、反射板３の表面の意匠性（外観の美観性）の低下が考えられる。そこで、意匠性（外観の美観性）を考慮すると、カット部９は３箇所から６箇所程度に設けるのが好適である。
【００２３】
また、本実施の形態によると反射板３の取付穴８付近が僅かに変形する構造のため、上述した意匠性を考慮し、反射板取付ネジ６の取付位置（すなわち、カット部９を設ける取付穴８の位置）をランプ７が装着された場合、ランプ７の真下に設定することが望ましい。これは、ランプ７の映り込みによる外観不具合を防止するためである。
【００２４】
ネジ受け１０には、反射板取付ネジ６のネジ棒６２のねじ山を挿入するための切り欠きが設けられている。また、ソケット台５の反射板３側の面（以下、ソケット台表面５１）のネジ受け１０周辺には、反射板３の方向に突出したエンボス１１を設ける。エンボス１１は、ソケット台表面５１に対して押し出し加工（エンボス加工）等により、凸部を形成するものである。すなわち、エンボス１１は、ソケット台５と一体形成されるものであり、ソケット台５と別部品である必要はない。図３（ａ）に示すように、エンボス１１は、ネジ受け１０の周囲に略円形に断続的に形成される。エンボス１１の形状は、これに限られるわけではなく、たとえば、円形上に連続したリブ形状、３箇所以上設けたリブ形状、あるいは丸型・三日月形状でもよい。
【００２５】
図３（ｂ）に示すように、取付穴８の最大径（幅）Ｎは、反射板取付ネジ６のネジ頭６１の最大径（幅）Ｌ未満（すなわち、Ｌ＞Ｎ）である必要がある。開口縁８１のうちネジ頭６１によって押さえつけられる部分を確保するためには、取付穴８の径Ｎは、ネジ頭６１の径Ｌの半分以下が好適である（すなわち、Ｎ＜＝Ｌ／２）。
【００２６】
エンボス１１の位置は、ネジ受け１０の略中心部からエンボス１１のネジ受け１０側の端部までの距離（すなわち、略Ｍ／２）が、ネジ頭６１の径Ｌの略半分よりも大きい必要がある（Ｍ／２＞Ｌ／２）。ネジ頭６１の端部とエンボス１１（エンボス１１のネジ受け１０側の端部）とは、所定の距離Ｍ２離れていることが好ましい。
【００２７】
図３（ｃ）に示すように、反射板取付ネジ６をねじ込む（すなわち、ネジ棒６２をソケット台５のネジ受け１０にねじ込む）と、ネジ頭６１により取付穴８周りの開口縁８１がソケット台５側に押し込まれる。取付穴８の開口縁８１にはカット部９が設けられているので、隣り合うカット部９に挟まれている部分（すなわち、曲折縁部３１）はネジ頭６１により容易にソケット台５の方に押し曲げられる。また、ネジ頭６１の周端部よりも所定の距離（Ｍ２）離れた位置にエンボス１１が形成されているので、開口縁８１（曲折縁部３１）が曲折する際には、エンボス１１を支点として、エンボス１１よりも内側（取付穴８側）の部分（曲折縁部３１）が曲折する。したがって、曲折縁部３１は、エンボス１１を支点としてエンボス１１から角度をもって曲折するので、曲折縁部３１の先端（エッジ部３２）が確実にソケット台５のソケット台表面５１に接触する。エッジ部３２とソケット台５のソケット台表面５１との接触部により、反射板３とソケット台５と器具本体２の電気的導通が得られる。このとき、ネジ頭６１の周端部とエンボス１１とが近すぎる（Ｍ２が小さすぎる）と、曲折縁部３１が曲折しにくくなり好ましくない。また、ネジ頭６１の周端部とエンボス１１とが遠すぎる（Ｍ２が大きすぎる）と、曲折縁部３１が適切な角度をもって曲折しない可能性があるため好ましくない。したがって、ネジ頭６１とエンボス１１との距離Ｍ２は、曲折縁部３１が適切な角度をもって曲折するような距離とする。
【００２８】
図４は、エンボス１１（凸部）のバリエーションを示す図である。図４（ａ）は、ソケット台５のネジ受け１０の周囲に円形状に連続して凸部を形成したエンボス１１ａを示している。エンボス１１ａの形状であれば、カット部９が開口縁８１のどの位置に設けられていても曲折縁部３１が曲折する際に、確実に支点を得ることができる。
【００２９】
図４（ｂ）は、ソケット台５のネジ受け１０の周囲に円形状に断続的に凸部を形成したエンボス１１ｂを示している。エンボス１１ｂを形成する際には、反射板３側のカット部９の位置を考慮し、隣り合うカット部９に挟まれた曲折縁部３１が確実に支点を得て曲折することができる位置に形成することが望ましい。例えば、カット部９を３箇所設けた場合には、形成される曲折縁部３１の数は３つとなるので、３箇所のエンボス１１ｂを形成することになる。
【００３０】
図４（ｃ）は、ソケット台５のネジ受け１０を囲む円形上の位置に断続的に丸型の凸部を形成したエンボス１１ｃを示している。エンボス１１ｃは、例えば、四角型、三日月型、ドット型等でもよい。また、これらの組み合わせでもよい。エンボス１１ｃを形成する際には、反射板３側のカット部９の位置を考慮し、隣り合うカット部９に挟まれた曲折縁部３１が確実に支点を得ることができる位置に形成することが望ましい。例えば、カット部９を３箇所設けた場合には、形成される曲折縁部３１の数は３つとなるので、３箇所のエンボス１１ｃを形成することになる。あるいは、１箇所の曲折縁部３１に対して１つ以上（例えば、３つ）のエンボス１１ｃが対応するように、エンボス１１ｃを形成してもよい。
【００３１】
図５は、取付穴８の開口の形状とカット部９のバリエーションを示す図である。反射板３の取付穴８の開口形状は、切断面であるエッジ部３２が鋭利になるような形状（例えば、円形もしくは複数の円形、四角形等）とすることが好ましい。図５（ａ）は、円形状の開口の取付穴８と、開口縁８１に略均等の間隔で４箇所に設けられたカット部９を示している。図５（ｂ）は、３つの円を組み合わせた形状の開口の取付穴８と、１つの円に１箇所ずつ計３箇所に略均等の間隔で設けられたカット部９を示している。図５（ｂ）に示す開口形状によれば、円形が重なる部分にとがった形状が形成され、より鋭利なエッジ部３２ｂを得ることができる。図５（ｃ）は、４角形状の開口の取付穴８と、４角形の角部の４箇所に設けられたカット部９を示す。図５（ｄ）は、長円形状の開口の取付穴８と、４箇所に略均等な間隔で設けられたカット部９を示す。上記以外にも、例えば、多角形を複数組み合わせた開口形状の取付穴８でもよい。
【００３２】
また、上述したように、取付穴８の最大径（幅）は、反射板取付ネジ６のネジ頭６１の最大径（幅）未満である必要がある。それは、取付穴８の最大径（幅）がネジ頭６１の最大径未満であれば、ねじ締めの際に確実に反射板３（曲折縁部３１）のエッジ部３２が湾曲し、エッジ部３２がソケット台５（反射板取付金具）に接触するからである。
【００３３】
実施の形態１によれば、反射板取付ネジ６によって反射板３をソケット台５（反射板取付金具）を介して器具本体２へ取り付ける場合に、ソケット台５に設けたエンボス１１に反射板３が当接し、その接点が支点となり、反射板取付ネジ６のネジ頭６１が反射板３を器具本体２側へ押し上げて反射板３の取付穴８の切断面のエッジ部３２がソケット台５（または反射板取付金具）に接触して、反射板３と器具本体２とが電気的導通を得ることができ、反射板３の接地が得られる構造となる。
【００３４】
実施の形態１では、天井直付けの照明器具１について説明しているが、天井吊り下げ形の照明器具でも本実施の形態を適用することができる。また、照明器具１の形状も、直管型ランプ装着用の照明器具に限られず、反射板取付ネジ（固定部材）を用いて反射板３を反射板取付金具に取り付けるものであれば、他の形状（たとえば、円形ランプ、電球型ランプ等）のランプ装着用の照明器具でも本実施の形態を適用できる。
【００３５】
実施の形態１では、固定部材としてネジ頭６１とネジ棒６２とからなるネジを用いて説明したが、これに限られず、反射板３を押さえつけて器具本体２に固定する固定部材であれば、例えば、鋲、リベット、はとめ等でもよい。
【００３６】
以上のように、実施の形態１によれば、部品点数を増加させることがないので、製作コストが抑えられる。また、弾性力を期待しなくとも良いので、接地の確実性が向上する。また、突起物（曲折縁部３１）は、反射板３を取り付ける際に反射板取付ネジ６により形成されるため、経年変形による変形の心配が無く、接地の確実性が向上する。また、反射板３の塗装面を剥がすことがないので、反射板３が錆びる可能性が軽減できる。
【００３７】
実施の形態２．
図６は、実施の形態２に係る照明器具１の反射板とソケット台とのネジ止め部分の拡大図であり、（ａ）は部分分解斜視図、（ｂ）は反射板取付ネジ６０の取り付け前の状態を示す図、（ｃ）は反射板取付ネジ６０の取り付け後の状態を示す図である。図６は、実施の形態１で説明した図３に対応する図である。図３に図示したものと同様の構成部品については同一の符号を付し、その説明を省略する。
【００３８】
図６（ａ）に示すように、本実施の形態で用いる反射板取付ネジ６０は、ネジ頭６０１とネジ棒６０２とテーパ部１２とから構成される。反射板取付ネジ６０は、ネジ頭６０１に向かってテーパ部１２を設けた漏斗状である。本実施の形態では、ソケット台５のソケット台表面５１には、エンボス１１は設けられていない。
【００３９】
天井直付けの照明器具の場合は、器具本体２を直接天井面に取り付けた後、反射板３を器具本体２に取り付ける。このとき、反射板３が天井面に隙間無く確実に固定できるように、反射板３とソケット台５（反射板取付金具）との間には、締めしろのための隙間Ｍ３が設けられる。
【００４０】
反射板３の取付穴８には、実施の形態１で説明したように開口縁８１にカット部９が設けられている。反射板取付ネジ６０によって反射板３をソケット台５を介して器具本体２へ取り付ける際に、反射板取付ネジ６０を締め上げていくと、ネジ頭６０１のテーパ部１２により反射板３の取付穴８の開口縁８１（曲折縁部３１）がソケット台５の方向に押し曲げられる。そして、反射板取付ネジ６０を締めしろＭ３分締め上げると、開口縁８１（曲折縁部３１）のエッジ部３２が、ソケット台５のソケット台表面５１に接触し、反射板３と器具本体２との電気的導通が得られる。
【００４１】
実施の形態２によれば、ソケット台５にエンボス加工等を施す必要がないので、製造工数を低減することができる。
【００４２】
以上、実施の形態１〜２では、取付穴８の開口縁８１に、略均等の間隔で４つのカット部９が略放射状に形成されている反射板３について説明した（図３（ａ）参照）。このように、カット部９が４箇所形成された場合には、隣り合うカット部９に挟まれた曲折縁部３１は４つ形成される。このように複数のカット部９を略均等に設けることにより、反射板３の取付穴８周辺の変形が均一となり、ランプの光を均等に反射するという反射板３としての機能に対し、変形による影響が出にくくなる。図７は、カット部９の数のバリエーションを示す図である。図７（ａ）に示すように、カット部９が３箇所形成された場合には、隣り合うカット部９に挟まれた曲折縁部３１は３つ形成され、反射板３の取付穴８周辺の変形が均一となる。
【００４３】
また、カット部９は、取付穴８の開口縁８１の２箇所（均等な間隔で２箇所でもよいし、ランダムに２箇所でもよい）に形成されていてもよい。この場合は、カット部９を３箇所以上設けた場合に比較して、カット部９に挟まれた部分を押し曲げにくくなるが、カット部９と取付穴８の周縁部とからなる角部分（図７（ｂ）のＢ部）を曲折縁部３１として押し曲げることができる。あるいは、カット部９は１箇所に形成するだけでもよい。この場合も、カット部９を３箇所以上設けた場合に比較して、開口縁８１は押し曲げにくくなるが、ネジ頭６１の押力によりカット部９と取付穴８の周縁部とからなる角部分（図７（ｃ）のＣ部）を曲折縁部３１として曲折することが可能である。カット部９の数を減らすことにより、カット部９形成のための製造工数を低減することができる。
【００４４】
以上、実施の形態１〜２について説明したが、これらのうち、１つの実施の形態を部分的に実施しても構わない。あるいは、これらのうち、２つの実施の形態を部分的に組み合わせて実施しても構わない。
【図面の簡単な説明】
【００４５】
【図１】実施の形態１に係る照明器具１であり、（ａ）は照明器具１の外観の斜視図、（ｂ）は照明器具１の分解斜視図である。
【図２】反射板３を装着した器具本体２における反射板取付ネジ６の取付部分の短辺方向の断面図である。
【図３】図２のＡ部の拡大図であり、（ａ）は部分分解斜視図、（ｂ）は反射板取付ネジ６の取り付け前の状態を示す図、（ｃ）は反射板取付ネジ６の取り付け後の状態を示す図である。
【図４】エンボス１１（凸部）のバリエーション（ａ）〜（ｃ）を示す図である。
【図５】取付穴８の開口の形状とカット部９のバリエーション（ａ）〜（ｄ）を示す図である。
【図６】実施の形態２に係る照明器具１の反射板とソケット台とのネジ止め部分の拡大図であり、（ａ）は部分分解斜視図、（ｂ）は反射板取付ネジ６０の取り付け前の状態を示す図、（ｃ）は反射板取付ネジ６０の取り付け後の状態を示す図である。
【図７】カット部９の数のバリエーションを示す図であり、（ａ）はカット部９を３箇所設けた図、（ｂ）はカット部９を２箇所設けた図、（ｃ）はカット部９を１箇所も受けた図である。
【符号の説明】
【００４６】
１  照明器具、２  器具本体、３  反射板、４  ソケット、５  ソケット台、６  反射板取付ネジ、７  ランプ、８  取付穴、９  カット部、１０  ネジ受け、１１，１１ａ，１１ｂ，１１ｃ  エンボス、１２  テーパ部、３１  曲折縁部、３２  エッジ部、３２ｂ  鋭利なエッジ部、４１  ソケット貫通穴、４２  反射板端面、４３  反射板底面、５１  ソケット台表面、８１  開口縁、６１  ネジ頭、６２  ネジ棒、６００  反射板取付ネジ、６０１  ネジ頭、６０２  ネジ棒、８００  天井面。
【図１】
2010135169.tif 000003
【図２】
2010135169.tif 000004
【図３】
2010135169.tif 000005
【図４】
2010135169.tif 000006
【図５】
2010135169.tif 000007
【図６】
2010135169.tif 000008
【図７】
2010135169.tif 000009